(57)【特許請求の範囲】
【請求項１】
遊技盤面に取り付けられる取付基板に横長長方形状の開口を開設し、前記取付基板の裏側に前面が該開口の下半部分を塞ぎ上面が後方へ下傾する棚受部を配設して前記開口の上半部分を球入口とし、前記球入口に軸部が両側端縁に設けられソレノイドにより前後方向へ回動する開閉扉を軸着し、前記開閉扉は、前記軸部の上側に形成され後方に回動して前記棚受部の上面に当り前記球入口を開くと共に前方に回動して該球入口を塞ぐ上半板部と、前方ヘ上がるように回動して受け止めたパチンコ球を前記球入口へ導くと共に後方へ回動して前記棚受部の前面に位置する下半板部とからなり、また、前記棚受部の後側に形成される入賞領域には、その上部に後方へ回動した前記上半板部に接近させて入賞球数をカウントする入賞球検出器を配置したことを特徴とするパチンコ機の入賞装置。
【請求項２】
前記球入口の後部両側に縦向きのソレノイドを配置し、前記各ソレノイドの下側へ突出するプランジャーに可動ラックを取着し、前記可動ラックは立設されると共に前面に歯部が設けられるラック部を有し、前記ラック部の歯部は中間歯車を介して前記開閉扉の軸部に設けられた歯部に噛合している請求項１記載のパチンコ機の入賞装置。
【発明の詳細な説明】
【０００１】
【発明の属する技術分野】
本発明は、予め定められた所定個数以上のパチンコ球が入賞するといった事態を大幅に減らすようにしたパチンコ機の入賞装置に関するものである。
【０００２】
【従来の技術】
従来、パチンコ機の入賞装置として、例えば図１０，図１１に示すようなものがある。この入賞装置は、遊技盤面に取り付けられる取付基板１００に横長の球入口１０１を開設し、該球入口１０１に前後方向へ自在に回動して前記球入口１０１を開閉する開閉扉１０２を軸着し、取付基板１００の後側には箱枠１０３を設けてその内部にＶ入賞口１０４とこの両側に位置する通常入賞口１０５，１０５とを配置した構成からなる。そして、この入賞装置によれば、ソレノイド１０６が駆動することにより遊技者にとって有利となる第一の状態として開閉扉１０２を開き、不利となる第二の状態として開閉扉１０２を閉じて箱枠１０３内へのパチンコ球の入賞を不可能とさせるものである。
【０００３】
一方、最近のパチンコ機は、遊技盤上に可変表示器と始動入賞口と上述のような入賞装置とを配設し、始動入賞口にパチンコ球が入賞すると可変表示器の図柄や数字を変動させると共に、その停止時の表示が特定の組合せになっているとき大当りとして入賞装置の開閉扉を所定時間（約３０秒）又は所定個数（例えば１０個）のパチンコ球が入賞するまで開成し、更にその入賞球がＶ入賞口に入賞することを条件として開閉扉の開成動作を所定サイクル（例えば１６回）継続させるようにして遊技者に多大な利益を付与するようにしたいわゆるセブン機又は権利物と称されるものが人気を得ている。
【０００４】
【発明が解決しようとする課題】
しかし、従来の入賞装置にあっては図１１に示すように開閉扉１０２が球入口１０１の前側であって、下から上に回動して閉じるように構成されており、しかも該開閉扉１０２が完全に閉じるまでの間のパチンコ球の入賞可能な開角度θが大きいため、例えば大当り状態となって開閉扉１０２が開成し、所定個数のパチンコ球Ｂが入賞して該開閉扉１０２が閉じる直前にパチンコ球Ｂが球入口１０１に飛び込むようなことがあると、そのパチンコ球Ｂは開閉扉１０２に受け止められたまゝ箱枠１０３の内部に取り込まれることとなり、予め決められた所定の個数以上のパチンコ球が入賞装置内に入賞するといった事態が起こり、１回の大当たりに対して遊技者が獲得する景品球数にばらつきが生ずるという不都合があった。
【０００５】
そこで、本発明は上記課題を解決すべくなされたもので、予め決められた所定の個数以上のパチンコ球が入賞装置内に入賞するといった事態を大幅に減らすことができるパチンコ機の入賞装置を提供することを目的とするものである。
【０００６】
【課題を解決するための手段】
上記目的を達成するために、本発明は、遊技盤面に取り付けられる取付基板に横長長方形状の開口を開設し、前記取付基板の裏側に前面が該開口の下半部分を塞ぎ上面が後方へ下傾する棚受部を配設して前記開口の上半部分を球入口とし、前記球入口に軸部が両側端縁に設けられソレノイドにより前後方向へ回動する開閉扉を軸着し、前記開閉扉は、前記軸部の上側に形成され後方に回動して前記棚受部の上面に当り前記球入口を開くと共に前方に回動して該球入口を塞ぐ上半板部と、前方ヘ上がるように回動して受け止めたパチンコ球を前記球入口へ導くと共に後方へ回動して前記棚受部の前面に位置する下半板部とからなり、また、前記棚受部の後側に形成される入賞領域には、その上部に後方へ回動した前記上半板部に接近させて入賞球数をカウントする入賞球検出器を配置した構成からなる。
【０００７】
そして、球入口が開くときは、軸部を中心として上半板部が球入口の後方へ倒れるように回動しかつ下半板部が前方へ回動し、遊技盤面を流下し下半板部に受け止められたパチンコ球は球入口内に入賞してＶ入賞口又は一般入賞口に入り、更に入賞球検出器により検出される。また、球入口が閉じるときは、上半板部が前方へ起立するように回動しかつ下半板部が元の位置へ回動する。このように、球入口が閉じるときは、上半板部が前方へ起立するように回動することから、所定個数の入賞球がカウントされ開閉扉が開状態から閉状態へと変位する際、上半板部の上面に乗っていた入賞球は上半板部の回動動作に伴い球入口側に押戻され入賞装置から排出される。よって、予め決められた所定の個数以上のパチンコ球が入賞装置内に入賞するといった事態を大幅に減らすことができる。
【０００８】
この際、前記球入口の後側に形成される入賞領域には、その上部であって、入賞球数をカウントする入賞球検出器を後方へ回動した上半板部に接近させて配置することが好ましい。これにより、カウントが予め決められた所定の個数に達したとき、速やかに上半板部２４ａが回動することとなり、余分なパチンコ球が入賞するといった事態をほぼ完全になくすことができる。
【０００９】
また、開閉扉が開状態から閉状態へと変位し、上半板部の上面に乗っていた入賞球がその上半板部の回動動作に伴い球入口側に押戻される際、前記入賞球が箱枠の上壁と開閉扉との間に挟まれ噛んでしまう可能性が考えられることから、前記上半板部の前面を前方へ膨出する湾曲面に形成することが好ましい。
【００１０】
【発明の実施の形態】
以下、本発明に係るパチンコ機の入賞装置の実施の形態を図面を参照して説明する。図１は本発明に係る入賞装置が使用されるパチンコ機の正面図である。図において、１は縦長長方形状に枠組みされた機枠であり、機枠１の前面には中央部に方形状の開口２を設けて額縁状に形成した前面枠３が配置されている。前面枠３は機枠１の一側に開閉可能に装着され、前面枠３の前面にガラス扉枠４と前面板５とが開閉自在に装着されている。そして、ガラス扉枠４には前後に所定の間隔をおいてガラス板６が装着されている。また、前面板５の前面には打球発射部（図示せず。）に供給される弾球としてのパチンコ球を貯留するための打球供給皿７が設けられている。前面枠３の下部前面には打球供給皿７から溢れるパチンコ球を貯留するための余剰球受皿８が装着され、その一側に打球操作ハンドル９が設けられている。
【００１１】
１０は前面枠３の後側に配置されガラス扉枠４の窓孔４ａに臨む遊技盤であり、遊技盤１０の前面に渦巻状のガイドレール１１が敷設されている。ガイドレール１１で囲まれる遊技領域１０ａには、その中央に可変表示器１２が装着され、その下方にパチンコ球が入賞することにより可変表示器１２の表示部の図柄や数字を変動させる始動入賞口１３が装着されている。更に、始動入賞口１３の下方に本発明に係る入賞装置Ａが装着されている。１４は一般入賞口、１５は遊技領域１０ａの下部に設けられ入賞しなかったパチンコ球を排出しアウト球として処理するためのアウト球口である。
【００１２】
入賞装置Ａは、図２，図３に示すように遊技盤１０面に取り付けられる取付基板１６を有し、取付基板１６の中央部分に横長長方形状の開口１７が開設されている。また、取付基板１６の裏側には開口１７を囲うようにして箱枠１８が配設されている。この箱枠１８は、前面が開放しており、内部の下側に上面１９ａが後方へ若干下傾した棚受部１９が設けられ、棚受部１９の前面１９ｂが開口１７の下半部分を塞ぐようになっている。そして、開口１７の上半部分が、箱枠１８内部と連通してパチンコ球を入賞させる球入口２０となっている。棚受部１９の後側が入賞領域となっており、その入賞領域の中央位置にＶ入賞口２１ａが設けられると共にその両側に通常入賞口２１ｂ，２１ｂがそれぞれ横並びに設けられている。Ｖ入賞口２１ａと通常入賞口２１ｂにはそれぞれ入賞球を検出する入賞球検出器２２が設けられ、これにより入賞領域に入賞したすべての入賞球の個数をカウントするようにしている。この入賞球検出器２２は、後記するように後方へ回動した上半板部２４ａに接近させた上部に配置されている。箱枠１８の左右側壁１８ａの外側には逆Ｌ字状の囲板２３が配設され、各側壁１８ａと囲板２３との間には後記する可動ラック３３が介装される空間部Ｓが形成されている。
【００１３】
取付基板１６の開口１７には開閉扉２４が軸着される。この開閉扉２４は正面横長長方形状に形成され、両側端縁に側方に突出する軸部２５が設けられている。各軸部２５の裏面に扇形状の歯部２６が設けられ、またその側端面にはピン２７が突設され、各ピン２７が箱枠１８の両囲板２３の前端縁に設けられた凹部２８に嵌入され、そのまま両囲板２３の前端縁を取付基板１６の裏面に当接することにより挟まれ支持されるようになっている。これにより、開閉扉２４が軸部２５を支点として前後方向へ自在に回動することとなる。そして、開閉扉２４において、軸部２５の上側が球入口２０を開閉する上半板部２４ａとなり、また、軸部２５の下側が遊技盤１０面を流下するパチンコ球を受け止め球入口２０に導く下半板部２４ｂとなる。下半板部２４ｂの前面にはハの字状の突条２９が設けられ、下半板部２４ｂ上面に乗ったパチンコ球を球入口２０側の中央に導くようにしている。更に、下半板部２４ｂの両側縁には、その上面に一度乗ったパチンコ球が側方から逃げて落ちないように立壁３０が突設されている。
【００１４】
箱枠１８の両外側面に縦向きのソレノイド３１が配置され、下側へ突出するプランジャー３２に可動ラック３３が取着されている。可動ラック３３は、プランジャー３２下端の円板部３２ａが介入する保持枠部３４とその一側縁に立設されるラック部３５とからなる。ラック部３５の前面には歯部３５ａが設けられており、図４に示すように箱枠１８両側の空間部Ｓ内に各ラック部３５が歯部３５ａを前側にして介装されている。そして、その歯部３５ａが囲板２３の軸孔３６に支軸３７ａを挿通した中間歯車３７と噛合されている。また、各中間歯車３７は開閉扉２４の両側の歯部２６と噛合している。
【００１５】
そして、各ソレノイド３１が消磁しているときは、図５、図６に示すようにプランジャー３２が下側へ突出して可動ラック３３がその下端に位置し、開閉扉２４の上半板部２４ａが起立して球入口２０を塞ぎ、下半板部２４ｂは棚受部１９の前面１９ｂに位置している。一方、各ソレノイド３１が励磁すると、図７に示すようにプランジャー３２を上方へ吸引し可動ラック３３を上端位置に移動させ、これに伴い中間歯車３７を介してこれと噛み合う歯部２６を回動し、同時に開閉扉２４の上半板部２４ａを軸部２５を中心として球入口２０の後方へ倒れるように回動させる。また、下半板部２４ｂは同じく軸部２５を中心として逆に前方へ上がるように回動する。この状態では、図８に示すように上半板部２４ａが棚受部１９の上面１９ａに当り、パチンコ球を球入口２０内に入賞させ易いように開閉扉２４が後方へ若干下傾することとなる。そして、各ソレノイド３１が消磁すると、プランジャー３２が下側へ突出して可動ラック３３が再び下端位置に戻り、上半板部２４ａが前方へ起立するように回動すると共に下半板部２４ｂが後方へ回動して棚受部１９の前面位置に戻ることとなる。
【００１６】
本発明に係る入賞装置Ａは上記構成からなり、次に作用を説明する。常態では、各ソレノイド３１が消磁しており、図５、図６に示すように可動ラック３３が下端位置に有り、開閉扉２４の上半板部２４ａは起立して球入口２０を塞いでいる。よって、この状態では遊技盤１０面を流下するパチンコ球は球入口２０内に流入することはない。
【００１７】
そこで、可変表示器１２の表示部の図柄、数字が特定の組合わせ、例えば「７，７，７」、になると、遊技者にとって有利な特別遊技状態となり、開閉扉２４を所定時間又は所定個数のパチンコ球が入賞するまで開成し、更にその入賞球がＶ入賞口２１ａに入賞することを条件として開閉扉２４の開成動作を所定サイクル継続させるようになる。この場合は、図７、図８に示すように各ソレノイド３１が励磁して可動ラック３３を上端位置に移動させ、これに伴い中間歯車３７を介して歯部２６を回動させ、同時に上半板部２４ａを球入口２０の後方へ倒れるように回動させて球入口２０を開ける。また、下半板部２４ｂは前方へ上がるように回動してパチンコ球を受け止め球入口２０へ導くことができるようになる。これにより、遊技盤１０面を流下して下半板部２４ｂ上面に受け止められたパチンコ球Ｂ１は、図８に示すように突条２９にガイドされつつ球入口２０に入賞する。また、この際、下半板部２４ｂから側方に逃げようとするパチンコ球Ｂ１があっても、立壁３０で止められ零れ落ちるようなことはない。このようにして、球入口２０に入賞したパチンコ球Ｂ１はＶ入賞口２１ａ又は通常入賞口２１ｂに入って入賞装置Ａの外に排出される。この際、各入賞球検出器２２により検出される。
【００１８】
そこで、各入賞球検出器２２によるカウントが予め決められた所定の個数に達すると、開閉扉２４で球入口２０を塞ぐことになる。すなわち、各ソレノイド３１が消磁され、各可動ラック３３が下端位置に戻り、上半板部２４ａは軸部２５を中心とし前方へ起立するようにして回動する。よって、大当り状態となって開閉扉２４が開き、所定個数のパチンコ球が入賞して開閉扉２４が閉じる直前に図９に示すように球入口２０にパチンコ球Ｂ２が飛び込むようなことがあっても、このパチンコ球Ｂ２は同図矢示方向へ回動する上半板部２４ａの動作と共に球入口２０の外側へ押し戻されることとなり、開閉扉２４が開状態から閉状態へと変位する際に、球入口２０へ余分なパチンコ球Ｂ２が入賞することがほとんどなくなる。これにより、予め決められた所定の個数以上のパチンコ球が入賞装置内に入賞するといった事態を大幅に減らすことができる。
【００１９】
一般のこの種の入賞装置にあっては、入賞装置内に入賞したすべての入賞球数をカウントするための入賞球検出器が入賞領域から比較的離れた下部に配置されていたため、入賞球検出器によるカウントが予め決められた所定の個数に達したときでも、球入口を塞ぐのが遅れて余分なパチンコ球が入賞してしまうといった事態が生じていた。しかしながら、本発明に係る入賞装置Ａでは、すべての入賞球数をカウントする入賞球検出器２２を、入賞領域の上部であって、後方へ回動した上半板部に接近させて配置しているので、カウントが予め決められた所定の個数に達したとき、速やかに上半板部２４ａが回動することとなり、余分なパチンコ球が入賞するといった事態をほぼ完全になくすことができる。また、入賞球検出器２２を、入賞領域の上部であって、後方へ回動した上半板部２４ａに接近させて配置しているので、その分入賞装置Ａの全体の高さ寸法が短くでき、コンパクト化が図られる。
【００２０】
また、上半板部２４ａの前面は平坦面に形成されていることから、箱枠１８の上壁内面と上半板部２４ａの前面との間にパチンコ球が挟まり球噛み状態が起こる危険性が考えられることから、上半板部２４ａの前面は、前方に膨出する曲面に形成することが好ましい。
【００２１】
【発明の効果】
以上説明したように本発明に係るパチンコ機の入賞装置は、開閉扉を軸部の上側に形成され球入口を開閉する上半板部と軸部の下側に形成され受け止めたパチンコ球を球入口内に導く下半板部とから形成し、球入口を閉じるとき、軸部を中心とし前記上半板部を前方へ回動させるようにしたので、所定個数の入賞球がカウントされ開閉扉が開状態から閉状態へと変位する際、上半板部の上面に乗っていた入賞球は上半板部の回動動作に伴い球入口側に押戻され入賞装置から排出されこととなる。これにより、余分なパチンコ球が入賞することがほとんどなくなり、予め決められた所定の個数以上のパチンコ球が入賞装置内に入賞するといった事態を大幅に減らすことができるという効果がある。
【００２２】
この際、前記球入口の後側に形成される入賞領域には、その上部であって、入賞球数をカウントする入賞球検出器を後方へ回動した上半板部に接近させて配置するようにすれば、カウントが予め決められた所定の個数に達したとき、速やかに上半板部２４ａが回動することとなり、余分なパチンコ球が入賞するといった事態をほぼ完全になくすことができる。
【００２３】
また、上半板部の前面を湾曲面に形成すれば、開閉扉が開状態から閉状態へと変位し、上半板部の上面に乗っていた入賞球がその上半板部の回動動作に伴い球入口側に押戻される際、前記入賞球が箱枠の上壁と開閉扉との間に挟まれたとしても、噛んでしまう可能性がほとんどなく、開閉扉の正常な動作が常に維持できるという効果がある。
【図面の簡単な説明】
【図１】  本発明に係る入賞装置が使用されるパチンコ機の正面図。
【図２】  本発明に係る入賞装置の斜視図。
【図３】  同分解斜視図。
【図４】  同遊技盤に装着した状態の平面断面図。
【図５】  図４のＸ−Ｘ線断面図。
【図６】  図４のＹ−Ｙ線断面図。
【図７】  図５の入賞装置の作用説明図。
【図８】  図６の入賞装置の作用説明図。
【図９】  図６の入賞装置の作用説明図。
【図１０】  従来の入賞装置の斜視図。
【図１１】  従来の入賞装置の作用説明図。
【符号の説明】
１０                遊技盤
１６                取付基板
１９                棚受部
１９ａ              上面
１９ｂ              前面
２０                球入口
２４                開閉扉
２４ａ              上半板部
２４ｂ              下半板部
２５                軸部
２６                歯部
３１                ソレノイド
３２                プランジャー
３３                可動ラック
３５                ラック部
３５ａ              歯部
３７                中間歯車
Ａ                  入賞装置
Ｂ１，Ｂ２          パチンコ球
【図１】
0003664668.tif 000002
【図２】
0003664668.tif 000003
【図３】
0003664668.tif 000004
【図４】
0003664668.tif 000005
【図５】
0003664668.tif 000006
【図６】
0003664668.tif 000007
【図７】
0003664668.tif 000008
【図８】
0003664668.tif 000009
【図９】
0003664668.tif 000010
【図１０】
0003664668.tif 000011
【図１１】
0003664668.tif 000012